(57)【要約】【課題】  周囲の明るさに応じた表示画面の設定変更を、映像信号の種類に応じて行うことのできる映像表示装置を提供する。【解決手段】  複数種類の映像信号のいずれかが選択的に入力され、当該入力された映像信号に基づいて、映像を表示部に表示可能な映像表示装置において、前記表示部の照度を検出する照度検出手段２と、特定の種類の映像信号を判別する信号判別手段５１と、前記特定の映像信号が入力された場合に、検出された前記照度に基づき、前記映像信号のγ補正特性を制御する表示特性制御手段５２と、を備えた。【選択図】      図３
2006227332.tif 000002
【特許請求の範囲】
【請求項１】
複数種類の映像信号のいずれかが選択的に入力され、当該入力された映像信号に基づいて、映像を表示部に表示可能な映像表示装置において、
前記表示部の照度を検出する照度検出手段と、
特定の種類の映像信号を判別する信号判別手段と、
前記特定の映像信号が入力された場合に、検出された前記照度に基づき、前記映像信号のγ補正特性を制御する表示特性制御手段と、
を備えたことを特徴とする映像表示装置。
【請求項２】
前記表示特性制御手段は、前記映像信号のγ補正特性を制御するに際し、前記映像信号に対するγ補正値を切り替えることを特徴とする請求項１に記載の映像表示装置。
【請求項３】
前記特定の種類の映像信号は、ＲＧＢ信号であることを特徴とする請求項１又は２に記載の映像表示装置。
【請求項４】
前記補正値は、前記照度が低い時のγ補正値である低照度γ補正値と、前記照度が高い時の高照度γ補正値とであることを特徴とする請求項１乃至３に記載の映像表示装置。
【請求項５】
前記表示特性制御手段は、所定の基準照度を前記表示部の照度と比較して、前記γ補正値を切り替えることを特徴とする請求項１乃至４のいずれかに記載の映像表示装置。
【請求項６】
複数種類の映像信号のいずれかが選択的に入力され、当該入力された映像信号に基づいて、映像を表示部に表示可能な映像表示装置を制御する制御方法において、
前記表示部の照度を検出する過程と、
特定の種類の映像信号を判別する過程と、
前記特定の映像信号が入力された場合に検出された前記照度に基づき、前記映像信号のγ補正特性を制御する過程と、
を備えたことを特徴とする映像表示装置の制御方法。
【請求項７】
複数種類の映像信号のいずれかが選択的に入力され、当該入力された映像信号に基づいて、映像を表示部に表示可能な映像表示装置を、コンピューターにより制御する制御プログラムにおいて、
前記表示部の照度を検出させ、
特定の種類の映像信号を判別させ、
前記特定の映像信号が入力された場合に検出された前記照度に基づき、前記映像信号のγ補正特性を制御させることを特徴とする制御プログラム。
【請求項８】
請求項７記載の制御プログラムを記録したことを特徴とするコンピューター読み取り可能な記録媒体。
【発明の詳細な説明】
【技術分野】
【０００１】
本発明は、表示装置、その制御方法、制御プログラム及び記録媒体に関する。
【背景技術】
【０００２】
近年、液晶画面等の表示装置がさまざまな場所で使用されている。これらの表示装置においては、周囲の光が明る過ぎたり、周囲の光が表示装置の表示画面へ映り込んだりすることにより、表示画面に表示された表示画像が見え難いことがある。このような場合は、表示画面の明るさやコントラストの設定を操作し、表示画面を明るく設定することにより、表示画面に表示された表示画像の見え難さを改善することができる。
【０００３】
しかし、表示画面を明るく設定すると、周囲が暗くなったときに表示画面が明る過ぎるため、今度は表示画面を暗く設定し直す必要があった。
【０００４】
このような操作を毎回行うのは手間となるで、表示装置に照度センサーを設け、この照度センサーによって検知された周囲の照度に応じて、表示画面の明るさ、コントラスト、γ補正を設定する表示装置が考案されている。これにより、表示装置を操作することなく、表示画面の設定変更を行うことができる（例えば、特許文献１参照）。
【特許文献１】特開平６−８３２８７号公報
【発明の開示】
【発明が解決しようとする課題】
【０００５】
しかしながら、上記従来の技術にあっては、映像信号の種類に関係なく表示画面の設定変更を行ってしまうため、テレビ画像等のコンポジット信号による画像は復調画像の忠実度を損なってしまう。
【０００６】
本発明は、上述した事情に鑑みて成されたものであり、周囲の明るさに応じた表示画面の設定変更を、映像信号の種類に応じて行うことのできる映像表示装置を提供することを目的とする。
【課題を解決するための手段】
【０００７】
本発明は、複数種類の映像信号のいずれかが選択的に入力され、当該入力された映像信号に基づいて、映像を表示部に表示可能な映像表示装置において、前記表示部の照度を検出する照度検出手段と、特定の種類の映像信号を判別する信号判別手段と、前記特定の映像信号が入力された場合に、検出された前記照度に基づき、前記映像信号のγ補正特性を制御する表示特性制御手段と、を備えたことを特徴とする。
【０００８】
この場合において、前記表示特性制御手段は、前記映像信号のγ補正特性を制御するに際し、前記映像信号に対するγ補正値を切り替えてもよい。前記特定の種類の映像信号は、ＲＧＢ信号であってもよい。前記補正値は、前記照度が低い時のγ補正値である低照度γ補正値と、前記照度が高い時の高照度γ補正値とであってもよい。前記表示特性制御手段は、所定の基準照度を前記表示部の照度と比較して、前記γ補正値を切り替えてもよい。
【０００９】
また、本発明は、複数種類の映像信号のいずれかが選択的に入力され、当該入力された映像信号に基づいて、映像を表示部に表示可能な映像表示装置を制御する制御方法において、前記表示部の照度を検出する過程と、特定の種類の映像信号を判別する過程と、前記特定の映像信号が入力された場合に検出された前記照度に基づき、前記映像信号のγ補正特性を制御する過程と、を備えたことを特徴とする。
【００１０】
また、本発明は、複数種類の映像信号のいずれかが選択的に入力され、当該入力された映像信号に基づいて、映像を表示部に表示可能な映像表示装置を、コンピューターにより制御する制御プログラムにおいて、前記表示部の照度を検出させ、特定の種類の映像信号を判別させ、前記特定の映像信号が入力された場合に検出された前記照度に基づき、前記映像信号のγ補正特性を制御させることを特徴とする。
【００１１】
また、本発明は、コンピューター読み取り可能な記録媒体において、前記制御プログラムを記録したことを特徴とする。
【発明の効果】
【００１２】
本発明によれば、表示映像を判別することにより、周囲の明るさに応じた表示画面の設定変更を、表示映像に応じて行うことができる。
【発明を実施するための最良の形態】
【００１３】
以下図面を参照して、本発明の実施の形態について説明する。
【００１４】
［１］第１実施形態
図１は本実施の形態に係るナビゲーション装置１の外観構成を示す斜視図である。
この図に示すように、ナビゲーション装置１は、車両のダッシュボードに設けられた所定の収納スペースに嵌め込まれる装置本体１０と、この装置本体１０の正面に設けられた操作パネル１１とを備えている。操作パネル１１は、枠体としてのフェイスパネル１２と、このフェイスパネル１２上に設けられた複数の操作スイッチ、操作パネル開閉ボタン（オープン／ＴＩＬＴキー）１３と、フェイスパネル１２に嵌め込まれた表示パネル１４とを有している。この表示パネル１４には、現在地点の周辺地図、車両の現在位置、及び、目的地までの経路が表示され、これにより経路案内が行われる。
【００１５】
図２は、ナビゲーション装置１の主要構成を示すブロック図である。
ナビゲーション装置１は、ＭＰＵ（接続制御手段）３０を備え、このＭＰＵ３０は、ナビゲーション装置１の各部を中枢的に制御するものであり、このＭＰＵ３０には、ＭＤ（Mini Disk）、ＣＤ（Compact Disk）或いはＤＶＤ（Digital Video Disk）等を読み取るための記録媒体読取部３１が接続されている。
記録媒体読取部３１に装填された記録媒体は、ＭＰＵ３０によりアクセスされ、ＭＰＵ３０は、記録媒体に記録された各種データ（音楽データ等）の読み取りを行う。
【００１６】
また、ＭＰＵ３０には、記録媒体読取部３１から読み出したデータ等を一時的に格納するＲＡＭ３３が接続されると共に、サブＭＰＵ３４が接続される。サブＭＰＵ３４は、制御用プログラム等の各種データを記憶するＲＯＭ、データを一時的に格納するＲＡＭ、ＲＯＭに記憶されたプログラムやデータに基づいて各種制御を行うＣＰＵを有し、ＭＰＵ３０の制御の下、表示パネル１４の表示制御等を行う。
【００１７】
音出力部３９はサブＭＰＵ３４の制御の下、音楽や音声を出力するものであり、例えば、記録媒体に記録された音楽データの再生にあっては、記録媒体読取部３１によって読み取られた音楽データが音出力部３９に出力され、音楽が再生される。
表示部４０は、サブＭＰＵ３４の制御の下、地図等の各種情報を表示するものであり、描画回路４１と、液晶駆動回路４３と、上述した液晶パネル２７とを備えている。
【００１８】
描画回路４１は、地図データ等を含む描画コマンドＤＳＳをサブＭＰＵ３４から受け取り、この描画コマンドＤＳＳに基づく表示を行うべく液晶駆動回路４３を制御するものであり、描画プロセッサーと、ＶＲＡＭ（Video RAM）と、ＬＣＤ用映像処理回路５０と、γ補正回路３とを備えている。描画プロセッサーは、描画コマンドＤＳＳに基づいて液晶パネル２７に表示すべき描画データ（例えばビットマップ画像データ）を生成するものであり、ＶＲＡＭは描画データを保持するものである。液晶駆動回路４３はＶＲＡＭに保持されている描画データを順次受け取り、この描画データに基づいて液晶パネル２７に表示するものである。これら描画回路４１、液晶駆動回路４３は、表示パネル１４を構成する液晶駆動回路基板に実装されている。
【００１９】
ＧＰＳ（Global Positioning System）ユニット４４は、ＧＰＳ衛星から送信されているＧＰＳ電波を受信するアンテナ（レシーバーでも良い）を備え、ＧＰＳ電波に基づいて、車両の現在地点を示す位置座標と、進行方向とを計算し、位置検出信号ＰＳとしてサブＭＰＵ３４に出力するものである。サブＭＰＵ３４は、経路探索時においては、位置検出信号ＰＳにより示される現在地点から目的地までの誘導経路を探索して探索結果を液晶パネル２７に表示し、また、経路案内時には、位置検出信号ＰＳに基づいて現在位置の移動状況を地図と共に液晶パネル２７に表示して経路案内を行う。
【００２０】
チューナー部４５はＦＭ多重受信処理部、ビーコン受信処理部、ＴＶ受信処理部により構成されており、ＦＭ多重受信処理部は、サブＭＰＵ３４の制御の下、ＦＭ多重放送波を受信して、渋滞や事故、交通規制といったＶＩＣＳ情報や天気予報といった情報を取り出し、サブＭＰＵ３４に出力するものである。
【００２１】
チューナー部４５を構成するビーコン受信処理部は、サブＭＰＵ３４の制御の下、車両走行中の道路に関するＶＩＣＳ情報（道路交通情報）を受信し、サブＭＰＵ３４に出力するものである。これらＶＩＣＳ情報や天気予報といった情報は、交通に関する情報であり、また、運転者にとって車両運転上の手助けとなる情報である。このような情報を以下の説明では走行補助情報と称することにする。本実施の形態では、ＦＭ多重受信処理部及びビーコン受信処理部は、走行補助情報を示す文字情報を取得しており、走行補助情報受信時には、この文字情報がサブＭＰＵ３４に出力される。サブＭＰＵ３４は、走行補助情報を液晶パネル２７に表示する際には、ＦＭ多重受信処理部或いはビーコン受信処理部から受け取った文字情報に基づいて描画コマンドＤＳＳを生成し、液晶パネル２７に出力することで、走行補助情報の表示を行う。
【００２２】
また、チューナー部４５を構成するＴＶ受信処理部は、サブＭＰＵ３４の制御の下、ＴＶ（テレビジョン）放送波を受信してＴＶ映像及びＴＶ音声をサブＭＰＵ３４に出力するものであり、図示せぬＴＶチューナ回路を備えている。ＴＶ映像は動画像として液晶パネル２７に表示され、また、ＴＶ音声は音出力部３９から出力される。
【００２３】
操作部３６は、スイッチ操作部と、タッチパネル操作部とを備えている。スイッチ操作部は、上述した操作スイッチに加え、この操作スイッチの操作を電気信号に変換してスイッチ信号ＳＳをサブＭＰＵ３４に出力するスイッチ回路基板（図示せず）を備えている。タッチパネル操作部は、タッチパネルに加え、タッチパネルの操作を電気信号に変換してタッチ信号ＴＳをサブＭＰＵ３４に出力するタッチパネル回路基板（図示せず）を備えている。タッチ信号ＴＳには、タッチパネルの面上の操作個所を示す座標情報が含まれており、これにより、サブＭＰＵ３４が、液晶パネル２７に表示されている操作ボタンのうち、どの操作ボタンが操作されたかを識別可能となる。
【００２４】
図３は、上述した描画回路４１の一部を構成するＬＣＤ用映像処理回路５０及びγ補正回路３のブロック図である。
ここで、γ補正回路３を設ける理由について説明する。
表示パネル１４の明るさは、入力電圧に正比例せずに指数関数的に変化する。入力電圧が小さいときには、明るさは緩やかに変化するが、入力電圧が大きいときには、明るさは急激に変化する。そこで、描画回路４１にγ補正回路３を設け、入力電圧と明るさの関係を直線的に補正し、画像を忠実に再現しているのである。
γ補正回路３は、γ補正値切替回路５２と、ＲＧＢ／ＣＶ切替制御回路５１と、γ補正電圧供給回路５３と、照度センサー２と、照度監視回路５４と、照度基準電圧回路５５とにより構成されている。
【００２５】
ＬＣＤ用映像処理回路５０は、サブＭＰＵ３４から送られてきた描画コマンドＤＳＳに含まれるＲＧＢ信号及びコンポジット信号をＬＣＤ用ＲＧＢへと映像処理を行う処理回路である。
γ補正値切替回路５２は、ＬＣＤ用映像処理回路５０がγ補正を行うときのγ補正値を切り替えるための切替回路である
【００２６】
ＲＧＢ／ＣＶ切替制御回路５１は、サブＭＰＵ３４からＬＣＤ用映像処理回路５０に出力されてきたＲＧＢ信号若しくはコンポジット信号に応じて、γ補正値切替回路５２のγ補正値の切替えを制御する制御回路である。
γ補正電圧供給回路５３は、予め設定された通常γ補正値（低照度γ補正値）及び外光用γ補正値（高照度γ補正値）に対応した電圧を生成し、γ補正値切替回路５２に生成したγ補正電圧値を供給する電圧供給回路である。
【００２７】
照度監視回路５４は照度センサー２で検知した照度を照度基準電圧回路５５に予め設定された基準照度に対応する基準電圧と比較し、照度を監視する監視回路である。
照度センサー２は表示パネル１４近傍に設置されており、照度監視回路５４がこの照度センサー２を介して車両室内の表示パネル１４の近くに入射する光の照度を監視する。このとき、照度センサー２で検知した照度が、照度基準電圧回路５５に予め設定された入射照度以上になると、照度監視回路５４は映像信号に対して行うγ補正の補正値を、外光用γ補正値に切り替えるようにγ補正値切替回路５２に制御信号を送信する。
【００２８】
γ補正値切替回路５２は、照度監視回路５４からγ補正値を切り替えるように制御信号を受信すると、γ補正電圧供給回路５３にて生成されたγ補正値電圧を受け取る。γ補正値切替回路５２はγ補正値電圧を受け取ると、γ補正値電圧をＬＣＤ用映像処理回路５０に送信する。
【００２９】
ＬＣＤ用映像処理回路５０はγ補正値電圧を受信すると、ＬＣＤ用映像処理回路５０が受信した映像信号を、受信したγ補正値電圧に基づいてγ補正し、γ補正された映像信号をＬＣＤ用ＲＧＢで液晶駆動回路４３（図２）に送信する。
γ補正された映像信号を受信した液晶駆動回路４３は、この映像信号に基づく映像を液晶パネル２７に表示することにより、表示パネル１４に映像が表示される。
【００３０】
図４は、γ補正回路３によるγ補正の様子を示したグラフである。
横軸の入力データは、ＬＣＤ用映像処理回路５０に入力された映像信号の輝度であり、０は白色、１００は黒色である。
縦軸の出力値は、実際に表示パネル１４に表示されたドットの輝度である。
ＬＣＤ用映像処理回路５０に入力された映像信号は通常、ＬＣＤ用映像処理回路５０が通常γ補正値に基づいて、カーブＡに示す映像信号にγ補正を行う。このカーブＡに示す信号を受け取った液晶パネル２７は、そのγ特性により、ＬＣＤ用映像処理回路５０に入力された本来の映像信号に限りなく近いカーブＢに示す映像を表示する。
【００３１】
しかし、ＬＣＤ用映像処理回路５０が受信した映像信号に対して外光用γ補正値を用いてγ補正するときは、映像信号はカーブＣに示すようにγ補正を行う。このカーブＣに示す信号を受け取った液晶パネル２７は、そのγ補正によりカーブＤに示すような表示特性の映像を表示する。カーブＤに示す映像は、カーブＢに示す映像よりも、中間調が落とされており、擬似的にコントラストが上げられた映像となる。
これにより、車室内に強い外光が入射する環境において、表示パネル１４への反射からの写りこみにより、表示パネル１４に表示された表示映像が見え難いときに、表示映像を見え易くすることができる。
【００３２】
しかし、テレビ映像等のコンポジット信号に対してもこのような表示特性制御を行うと、復調映像の忠実度を損なう場合が多いため、この外光用γ補正値に基づく補正はナビゲーション映像等のＲＧＢ信号による映像信号のみに対して適応する。
このような映像信号の種類による判別はＲＧＢ／ＣＶ切替制御回路５１によりコントロールされており、ＬＣＤ用映像処理回路５０がＲＧＢ信号を受信したときには、γ補正値切替回路５２が動作するが、コンポジット信号を受信したときには、常に通常γ補正電圧値に基づいたγ補正を行い、ＬＣＤ用映像処理回路５０は液晶駆動回路４３へと映像信号を送信する。
【００３３】
［２］第２実施形態
図５は本実施の形態に係るモニター装置６の外観構成を示す斜視図である。
この図に示すように、モニター装置６は、車両のダッシュボードに設けられた所定の収納スペースに嵌め込まれるモニター装置本体６２と、このモニター装置本体６２の正面に設けられたフェイスパネル６３と、表示パネル６１とを備えている。フェイスパネル６３上には複数の操作スイッチ６４と、フェイスパネル６３に嵌め込まれたフェイスパネル表示部（図示せず）とを有している。また、表示パネル６１は、モニター装置本体６２に開閉自在に取り付けられており、前面に照度センサー６０が配置されている。モニター装置６は、ナビゲーション装置等の機器に接続され、接続された機器から出力されるＲＧＢ信号やコンポジット信号等の映像信号に基づく映像を表示パネル６１に表示する。
【００３４】
モニター装置６には第１実施形態と同様のγ補正回路６５が組み込まれており、モニター装置６がＲＧＢ信号を受信したときには、γ補正値切替回路が動作し、照度センサー６０が検出した照度に応じてγ補正値を変化させて受信したＲＧＢ信号に基づく映像を表示パネル６１に表示する。また、モニター装置６がコンポジット信号を受信したときには、常に通常γ補正電圧値に基づいたγ補正を行い、受信したコンポジット信号に基づく映像を表示パネル６１に表示する。
【００３５】
以上、実施形態に基づいて本発明を説明したが、本発明はこれに限定されるものではない。例えば、実施形態では、車載用表示装置について説明しているが、車載用に限らず、パソコン用モニター等のその他の表示装置であってもよい。
【図面の簡単な説明】
【００３６】
【図１】本発明の実施の形態に係るナビゲーション装置の外観構成を示す斜視図である。
【図２】上記ナビゲーション装置の機能的構成を示すブロック図である。
【図３】ＬＣＤ用映像処理回路及びγ補正回路の機能構成を示すブロック図である。
【図４】γ補正回路によるγ補正の様子を示したグラフである。
【図５】第２実施形態における図１相当図である。
【符号の説明】
【００３７】
１  ナビゲーション装置（映像表示装置）
２  照度センサー（照度検出手段）
６  モニター装置（映像表示装置）
１４  表示パネル（表示部）
５１  ＲＧＢ／ＣＶ切替制御回路（信号判別手段）
５２  γ補正値切替回路（表示特性制御手段）
【図１】
2006227332.tif 000003
【図２】
2006227332.tif 000004
【図３】
2006227332.tif 000005
【図４】
2006227332.tif 000006
【図５】
2006227332.tif 000007